(57)【要約】      （修正有）【課題】非力な高齢者や車いすに乗った高齢者、子供でも軽量化した模造撞き棒にて模造鐘を撞くことができ、かつ鐘の音を再生できるため、大晦日に高齢者施設内や家庭内にて除夜の鐘を楽しむことができる釣鐘システムを提供する。【解決手段】釣鐘システムは、軽量化した模造鐘１と、軽量化した模造撞き棒４と、模造撞き棒によって模造鐘を撞いたことを検知するスイッチ８と、スイッチの検知に基づき、あらかじめ記憶された鐘の音データを順次読み出し、音信号を出力する制御手段（制御回路９）と、制御手段の音信号を増幅して鐘の音として再生する手段（スピーカ１３）とを備える。【選択図】図３
0003228340.tif 000002
【実用新案登録請求の範囲】
【請求項１】
軽量化した模造鐘と、軽量化した模造撞き棒と、該模造撞き棒によって前記模造鐘を撞いたことを検知するスイッチ手段と、該スイッチ手段の検知に基づき、あらかじめ記憶された鐘の音データを順次読み出し、音信号を出力する制御手段と、該制御手段の音信号を増幅して鐘の音として再生する手段とを備えたことを特徴とする釣鐘システム。
【請求項２】
軽量化した模造鐘と、軽量化した模造撞き棒と、該模造撞き棒によって前記模造鐘を撞いたことを検知するスイッチ手段と、該スイッチ手段の検知に基づき、無線信号を送信する送信手段と、該送信手段の無線信号を受信する受信手段と、該受信手段の受信に基づき、あらかじめ記憶された鐘の音データを順次読み出し音信号を出力する制御手段と、該制御手段の音信号を増幅して鐘の音として再生する手段とを備えたことを特徴とする釣鐘システム。
【請求項３】
前記請求項１又は２において、前記スイッチ手段の検知情報を出力する接点出力を備えたことを特徴とする釣鐘システム。
【考案の詳細な説明】
【技術分野】
【０００１】  本考案は、釣鐘システムに係り、実際にお寺・神社に設置されている銅製の鐘や重い木製の撞き棒にて鐘の音を発生させるのではなく、軽量化した模造鐘及び模造撞き棒を用い、更にあらかじめ記憶された鐘の音データを利用したバーチャル釣鐘システムに関する。
【背景技術】
【０００２】  一般にバーチャル釣鐘システムは、パソコン画面上に鐘と撞き棒を表示させて、例えば撞き棒をマウスにてクリックすることにより、パソコン内に記憶された鐘の音源デジタルデータを呼び出し、鐘の音に変換して音を再生させている。
【考案の概要】
【考案が解決しようとする課題】
【０００３】  例えば鐘を撞く行事である除夜の鐘は、人々の一年の煩悩をお祓いして新年を迎える目的で、大晦日の真夜中にお寺・神社にて鳴らされるが、近年増加している高齢者施設に居住している方々は、大勢で真夜中に出かけることは困難である。またパソコン画面上の鐘と撞き棒表示を大スクリーンに映して鐘の音を再生ことは可能であるが、自分で鐘を撞くことはできないためその雰囲気を味わうことはできず、印象に残らない除夜の鐘となっている。
【課題を解決するための手段】
【０００４】  本考案によれば、軽量化した模造鐘と、軽量化した模造撞き棒と、模造撞き棒によって模造鐘を撞いたことを検知するスイッチと、スイッチの検知に基づき、あらかじめ記憶された鐘の音データを順次読み出し、音信号を出力する制御手段と、制御手段の音信号を増幅して鐘の音として再生する手段とを備えることにより、課題を解決することができる。【０００５】  また、本考案によれば、軽量化した模造鐘と、軽量化した模造撞き棒と、模造撞き棒によって模造鐘を撞いたことを検知するスイッチと、スイッチの検知に基づき、無線信号を送信する送信手段と、送信手段の無線信号を受信する受信手段と、受信手段の受信に基づき、あらかじめ記憶された鐘の音データを順次読み出し、音信号を出力する制御手段と、制御手段の音信号を増幅して鐘の音として再生する手段とを備えることにより、課題を解決することができる。【０００６】  更に、スイッチの検知情報を接点出力として取り出して、その接点出力に例えばＬＥＤイルミネーションの電飾等を接続して模造鐘に飾り、鐘の音データから鐘の音を再生すると同時に電飾に通電することによって、鐘の音の再生と同時に、光り輝く印象に残る模造鐘を実現することができる。
【考案の効果】
【０００７】  本考案によれば、非力な高齢者や車いすに乗った高齢者、子供でも軽量化した模造撞き棒にて模造鐘を撞くことができ、かつ鐘の音を再生することができるため、大晦日に高齢者施設内や家庭内にて除夜の鐘を楽しむことができ、心地よい雰囲気を味わい、新年を迎えられると言う効果がある。【０００８】  また、本考案によれば、模造撞き棒にて模造鐘を撞くことにより、模造鐘に取り付けられたＬＥＤイルミネーションの電飾等を光らせれば、見る者にとってより印象深い釣鐘システムを提供することができると言う効果もある。【０００９】  尚、本考案による釣鐘システムは、大晦日だけではなくお彼岸や子供の日など生活の節目において高齢者施設内や各家庭内にて願い事をする等、日頃から使用することが可能である。
【図面の簡単な説明】
【００１０】
【図１】本考案の第一の実施例
【図２】無線を用いた本考案の第二の実施例
【図３】第一の実施例においてスイッチの接点出力を備えた本考案の第三の実施例
【図４】第二の実施例においてスイッチの接点出力を備えた本考案の第四の実施例
【図５】模造鐘に電飾を取り付けた本考案の第五の実施例
【考案を実施するための形態】
以下、添付図面を参照しながら、本考案を実施するための形態を説明する。
【実施例１】
【００１１】  第一の実施例を、図１を用いて説明する。模造鐘１は、金属ではなく、プラスチック、竹や紙など軽量の材料を用いて鐘の形を模した鐘であり、支柱２にひも３により吊り下げられている。模造撞き棒４は、重い木製の円柱ではなく、筒状の紙やプラスチックあるいは発泡スチロールの円柱など軽量の材料にて作られる撞き棒であり、支柱２にひも５にて吊り下げられ、更に模造撞き棒４にて模造鐘１を撞く時に操作するひも６を有している。模造撞き棒４が模造鐘１に当たる部分７にはスイッチ８が内包されており、スイッチ８は、制御回路９内の読出指示１０に接続されている。制御回路９は、読出指示１０の指示により、あらかじめ記憶された鐘の音源デジタルデータ１１を読み出し、読み出したデジタルデータを音声合成処理１２に伝達することより、鐘の音信号を生成する。そしてこの鐘の音信号を増幅してスピーカ１３から人間に聞こえる音として再生する。【００１２】  従って、ひも６を操作して、模造撞き棒４にて模造鐘１を撞くと、スイッチ８がオンし、オンしたことを検知して制御回路９の音声合成処理１２を経由して、鐘の音をスピーカ１３から再生することができるのである。【００１３】  尚、スイッチ８は、模造鐘１ではなく、模造撞き棒４の先端に設けても良い（図示せず）。この場合は、スイッチ８は、模造撞き棒４の吊るすひも５を介して制御回路９に接続される。また、制御回路９は、模造鐘１の内部に設置しても良い（図示せず）。更に音源デジタルデータ１１と音声合成処理１２は、磁気録音テープ（図示せず）に記憶された鐘の音データを読み出すことによっても実現することができる。
【実施例２】
【００１４】  次に第二の実施例を、図２を用いて説明する。尚、図２において図１と同一手段には、同一符号を付している（図３、図４、図５についても同様）。図２では、スイッチ８の検知情報が送信回路１４に接続され、受信回路１５が制御回路９の読出指示１０に接続されているところが、図１と異なるところである。【００１５】  従って、ひも６を操作して、模造撞き棒４にて模造鐘１を撞くと、スイッチ８がオンし、オンしたことを検知して送信回路１４が無線信号を送信する。この無線信号は、受信回路１５により受信されて制御回路９の読出指示１０に伝達され、音声合成処理１２を経由して、鐘の音をスピーカ１３から再生することができるのである。【００１６】    尚、スイッチ８及び送信回路１４は、模造撞き棒４の先端に設置しても良い（図示せず）。また音源デジタルデータ１１と音声合成処理１２は、磁気録音テープ（図示せず）に記憶された鐘の音データを読み出すことによっても実現することができる。
【実施例３】
【００１７】  次に第三の実施例を、図５を参照しながら図３を用いて説明する。図３では、図１におけるスイッチ８と制御回路９との接続の間に、スイッチ８の検知情報を出力する接点出力１６を設けている。【００１８】  図３においてひも６を操作して、鐘の音をスピーカ１３から再生させる形態は同様であるが、例えば図５に示すように接点出力１６に、模造鐘１に取り付けたＬＥＤイルミネーション等の電飾１７を発光させる通電回路１８を接続することにより、ひも６を操作して模造撞き棒４にて模造鐘１を撞いた時に、鐘の音をスピーカ１３から再生すると同時に、電飾１７が光を放ち、見る者にとって印象に残る模造鐘１を演出することができるようになる。通電回路１８の通電時間は、例えば鐘の音の再生時間とほぼ同じぐらいであればよい。【００１９】    尚、図３においてもスイッチ８は、模造鐘１ではなく、模造撞き棒４の先端に設けても良い（図示せず）。この場合は、スイッチ８は、模造撞き棒４の吊るすひも５を介して制御回路９に接続される。また、制御回路９は、模造鐘１の内部に設置しても良い（図示せず）。更に音源デジタルデータ１１と音声合成処理１２は、磁気録音テープ（図示せず）に記憶された鐘の音データを読み出すことによっても実現することができる。
【実施例４】
【００２０】  次に第四の実施例を、図５を参照しながら図４を用いて説明する。図４では、図２におけるスイッチ８と送信回路１４との接続の間に、スイッチ８の検知情報を出力する接点出力１６を設けている。【００２１】  図４においてひも６を操作して、鐘の音をスピーカ１３から再生させる形態は同様であるが、例えば図５に示すように接点出力１６に、模造鐘１に取り付けたＬＥＤイルミネーション等の電飾１７を発光させる通電回路１８を接続することにより、ひも６を操作して模造撞き棒４にて模造鐘１を撞いた時に、電飾１７が光を放ち、見る者にとって印象に残る模造鐘１を演出することができるようになる。通電回路１８の通電時間は、例えば鐘の音の再生時間とほぼ同じぐらいであればよい。【００２２】  尚、図４においてもスイッチ８及び送信回路１４は、模造撞き棒４の先端に設置しても良い（図示せず）。また音源デジタルデータ１１と音声合成処理１２は、磁気録音テープ（図示せず）に記憶された鐘の音データを読み出すことによっても実現することができる。【００２３】  また、図５は接点出力を使用した一例を示しており、図５におけて通電回路１８は、電飾の種類に応じてＡＣ電源又はＤＣ電源から電気を通電するものであり、電飾は、通電により回転して光るミラーボールなどを模造鐘１の内部に設置しても良い（図示せず）。更に接点出力１６には、鐘の音の再生に同期して、本考案の釣鐘システムをより印象的に演出する電飾以外の装置を接続しても良い。
【符号の説明】
【００２４】  １  模造鐘
２  支柱
３  ひも（模造鐘を吊るす）
４  模造撞き棒
５  ひも（模造撞き棒を吊るす）
６  ひも（模造撞き棒を操作する）
７  模造撞き棒が模造鐘に当たる部分
８  スイッチ
９  制御回路
１０  制御回路９内の読出指示
１１  制御回路９内の鐘の音源デジタルデータ
１２  制御回路９内の音声合成処理
１３  音信号を増幅し音を再生するスピーカ
１４  無線信号を送信する送信回路
１５  無線信号を受信する受信回路
１６  接点出力
１７  電飾（ＬＥＤイルミネーションの例）
１８  電飾に電気を所定時間通電する通電回路
【図１】
0003228340.tif 000003
【図２】
0003228340.tif 000004
【図３】
0003228340.tif 000005
【図４】
0003228340.tif 000006
【図５】
0003228340.tif 000007